(57)【特許請求の範囲】
【請求項１】
容器本体と、蓋体と、蓋体に備えられ容器本体内に抜き差し自在な塗布具とからなり、塗布具の軸体先端に塗布素子を固定し、該塗布素子を用いて液状化粧料を塗布し、かしめによる突出部分を塗布素子の側面に設けられた凹部に挿入した化粧料収納塗布容器であって、
塗布素子の塗布具先端に差し入れる部分に、かしめの位置決め用に溝を設けた化粧料収納塗布容器。
【請求項２】
容器本体と、蓋体と、蓋体に備えられ容器本体内に抜き差し自在な塗布具とからなり、塗布具の軸体先端に塗布素子を固定し、該塗布素子を用いて液状化粧料を塗布し、かしめによる突出部分を塗布素子の側面に設けられた凹部に挿入した化粧料収納塗布容器であって、
塗布素子の差し入れ側基端部に、かしめの位置決め用に所定の形状を施した化粧料収納塗布容器。
【発明の詳細な説明】
【技術分野】
【０００１】
本発明は、液状化粧料を塗布する塗布具を、容器本体内部に抜き差し自在に備えた化粧料収納塗布容器に関する。
【背景技術】
【０００２】
マスカラの容器は、先端にブラシを備えた塗布具を容器内に抜き差し自在に備え、ブラシを用いてマスカラを塗布している。またこのブラシに代え、樹脂製の塗布素子を塗布具の軸体先端に取り付け、これを用いて塗布するようにしたものが知られている。樹脂製の塗布素子としては、例えば先端を斜めに切り落とした円筒状の塗布素子などがあり、艶出しのためのグロスなどに用いられている。このような塗布具は、一般に軸体の先端部分を中空とし、その中空部分に樹脂製の塗布素子を差し入れて固定している。
【特許文献１】特開２００３−２３５６４１号公報
【発明の開示】
【発明が解決しようとする課題】
【０００３】
しかしながら、接着剤だけで塗布素子を固定した場合には、使用途中で接着剤がはがれ塗布素子が軸体から脱落する恐れもある。
【０００４】
一方塗布素子を差し入れた軸体の先端部分をかしめた場合には、かしめが十分に作用せずに塗布素子が抜け落ちたり、塗布素子が有する弾性力がかしめ部分を押し戻すように作用し、かしめを緩ませて塗布素子が抜け落ちてしまうことが考えられる。
【０００５】
本発明は上記課題を解決し、樹脂製の塗布素子を簡易な構成で中空の軸体先端に固定でき、塗布素子が容易に抜け落ちることのない化粧料収納塗布容器を提供することを目的とする。
【課題を解決するための手段】
【０００６】
本発明は上記課題を解決するため、化粧料収納塗布容器を次のように構成した。
【０００７】
塗布素子の側面に予め凹部を設け、設けられた凹部内にかしめの突出部分を挿入して固定した。凹部とかしめ位置とは、塗布素子の形状を基準にしてあわせる。塗布素子の形状が軸周りに均等な場合は、差し入れ部分に溝を形成して位置合わせを行ったり、差し入れ部分の端部の形状を特定の形状、例えば扁平や、三角、四角形等にしてかしめの位置合わせを行う。
【０００８】
塗布素子は、樹脂製の円柱状の他、表面に植毛を施したタイプであってもよく、また先細、へら状、あるいはブラシやコーム状であってもよい。
【発明の効果】
【０００９】
本発明の化粧料収納塗布容器は、樹脂製の塗布素子の凹部にかしめの突出部分を挿入したので、塗布素子を塗布具の軸体先端に強固に固定でき、しかも塗布素子の弾性力が突出部分を押し戻す力として作用しないので、かしめ部分が緩むことがなく塗布素子が軸体から抜け出てしまうことを防止できる。
【００１０】
塗布素子に形成された溝や所定の形状により確実に、かつ簡易に位置合わせができ、かしめの突出部分を確実に凹部に挿入して固定できる。
【発明を実施するための最良の形態】
【００１１】
図４に本発明にかかる化粧料収納塗布容器２（以下容器２とする。）の側断面を示す。容器２は、容器本体４と、蓋６と、塗布具３とからなり、口紅の上などに塗布されるグロスを収納する収納塗布容器である。
【００１２】
容器本体４は円筒状で、上部の口筒部１０に蓋６がねじにより着脱自在に取り付けてあり、口筒部１０の内面にしごき部材１２が嵌め合わせてある。しごき部材１２は弾性を有する樹脂からなり、内側面にしごき片１８を有し、下方には外方に突出形成された突条１６が抜け防止のため口筒部１０の内面に形成された段部１４にかかっている。
【００１３】
蓋６は、口筒部１０に形成されたねじ部に螺合する雌ねじ部を内面に有し、中心部分に塗布具３が固着してある。
【００１４】
塗布具３は、上部に蓋６の内面に密に嵌合する取付筒体５を有し、取付筒体５から下方に軸体７が延び、その先端に塗布素子９が固定してある。
【００１５】
軸体７は中空で、取付筒体５の直下にシール材２０が嵌着してあり、蓋６を閉めるとシール材２０がしごき部材１２の内面に密着する。また軸体７はしごき部材１２内に摺動自在に通してあり、容器本体４から抜き取ると、周囲に付着した化粧料がしごき片１８でそぎ落とされる。
【００１６】
塗布素子９は適度な弾性を有する樹脂製で、先端を斜めに切り落とした先細の円柱状に形成してある。更に塗布素子９は、図２に示すように長手方向ほぼ中央付近で差し込み側（後端側）が細く、その細径部分の側面に凹部１１が両側に対向して形成してある。
【００１７】
塗布素子９は、後端側を軸体７の先端に挿入し、図３に示すようにポンチ１５を用いて凹部１１に突出部分１３が挿入するよう両側より押圧してかしめてある。
【００１８】
次に容器２の使用法について説明する。蓋６を容器本体４から外し引き離すと、軸体７が容器本体４から抜き出される。その際軸体７の周囲に付着したグロスがしごき部材１２のしごき片１８によりそがれ、先端の塗布素子９を用いてグロスを唇などに塗布する。
【００１９】
更に塗布素子９は、かしめによる突出部分１３が凹部１１に入り込んでいるので強固に固定され、また塗布素子９の復元力が突出部分１３を押し戻す方向に作用しないので、突出部分１３の嵌合が安定し、塗布具３から容易に抜け落ちることがない。
【００２０】
他の例を図５に示す。これは先端が丸みを帯び、軸周りに形状の変化がない塗布素子９の場合の例であり、後端に溝２２を形成し、溝２２を基準として軸体７との位置合わせを行う。例えば図６に示すように軸体７の内面に突起２３を設け、溝２２を突起２３に合わせて差し入れて、塗布具３に組み付ける。
【００２１】
図７は、塗布素子９の後端２４を扁平な形状としたもので、この場合には図８に示すように軸体７の内部を塗布素子９の後端２４に対応した形状させ、軸体７に挿入した塗布素子９との位置合わせを後端２４の形状によって行わせる。尚後端２４の形状は、扁平に限らず、三角形や四角形でもよい。
【００２２】
更に塗布素子９は、図９に示すように外周面に植毛加工したフロッキータイプのものでもよい。また図１０に示すようにへら状、あるいは図１１に示すように櫛歯状でもよい。
【００２３】
凹部１１の数は２箇所に限らず、塗布素子９の少なくとも１箇所に形成されていればよい。
【図面の簡単な説明】
【００２４】
【図１】本発明にかかる化粧料収納塗布容器の一実施形態を示す部分断面図である。
【図２】塗布素子の一実施形態を示す斜視図である。
【図３】塗布素子のかしめ方法を示す説明図である。
【図４】化粧料収納塗布容器を示す断面図である。
【図５】塗布素子の他の実施形態を示す斜視図である。
【図６】図５に示した塗布素子の実施形態を示す断面図である。
【図７】塗布素子の他の実施形態を示す斜視図である。
【図８】図７に示した塗布素子の実施形態を示す断面図である。
【図９】塗布素子の他の実施形態を示す側面図である。
【図１０】塗布素子の他の実施形態を示す斜視図である。
【図１１】塗布素子の他の実施形態を示す側面図である。
【符号の説明】
【００２５】
２    容器
３    塗布具
４    容器本体
５    取付筒体
６    蓋
７    軸体
９    塗布素子
１１  凹部
１２  しごき部材
１３  突出部分
１４  段部
１６  突条
１８  しごき片
２０  シール材
２２  溝
２３  突起
２４  後端
【図１】
0004605341.tif 000002
【図２】
0004605341.tif 000003
【図３】
0004605341.tif 000004
【図４】
0004605341.tif 000005
【図５】
0004605341.tif 000006
【図６】
0004605341.tif 000007
【図７】
0004605341.tif 000008
【図８】
0004605341.tif 000009
【図９】
0004605341.tif 000010
【図１０】
0004605341.tif 000011
【図１１】
0004605341.tif 000012